(57)【要約】      （修正有）【課題】一回鋲で留めると、あとは何度でも文書を取り替えて掲示することができ、さらに、ばねなどの先に作ったフックに、いろいろなものを掛けることができるようにする。また、壁面を傷めず、簡単に文書などを掲示できるようにする。【解決手段】ばねと、前記ばねを壁面に固定する鋲と、ばねの先に設けられた鋲がばねを壁面に固定した場合にばねにより壁面を圧迫するフックとを備えたことを特徴とする。【選択図】図１
0003116575.tif 000002
【実用新案登録請求の範囲】
【請求項１】
ばねやスプリングを鋲やねじ釘で固定して、紙を押さえたり、紐などを掛けられるようにしたもの。
【考案の詳細な説明】
【考案の詳細な説明】
【考案が解決しようとする課題】
【０００１】  掲示板などに、文書などを鋲で留めて掲示すると、次に、同じ場所に文書を掲示するときは、一旦、鋲を抜いてから、もう一度、刺し直しをしなければなりません。
また、壁面などに、鋲を何度も刺していると、たくさんの穴があき見苦しくなります。
本考案の万年鋲紙留めフックですと、一回鋲で留めますと、あとは何度でも文書を取り替えて掲示することができますし、ばねなどの先に作ったフックに、いろいろなものを掛けることができます。
【課題を解決するための手段】
【０００２】  ばねやスプリングの先のフック状のところを壁面を圧迫するように、鋲で容易に留めるることができ、また、紙などは何回も抜き差しできます。
ばねやスプリングの先をフック状にすることによって、壁面は勿論のこと、棚やなげしに、いろいろなものを吊るして整理することができます。
【考案の効果】
【０００３】・  文書など簡単に何回でも掲示することができます。
・  壁面などに穴の傷が少なくてすみます。
・  本箱の棚などを利用して、簡単に整理してものを吊るすことができます。
【図面の簡単な説明】
【第一図】
万年鋲紙留めフックの見取り図と側面図
【第二図】
万年鋲紙留めフックのいろいろな種類
0003116575.tif 000003
0003116575.tif 000004
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
ばねと、前記ばねを壁面に固定する鋲と、前記ばねの先に設けられ前記鋲が前記ばねを壁面に固定した場合に前記ばねにより壁面を圧迫するフックと
を備えたことを特徴とする万年鋲紙留めフック。
【請求項２】
前記フックは、
前記ばねの先をフック状にしたものであり、壁面に対して紙を抜き差し可能に押さえて紙を掲示する
ことを特徴とする請求項１記載の万年鋲紙留めフック。
【請求項３】
前記フックは、
前記ばねの先をフック状にしたものであり、ものを掛けて吊るす形状を有する
ことを特徴とする請求項１または請求項２記載の万年鋲紙留めフック。
【請求項４】
鋲部とばね部とフック部とを備えたことを特徴とする鋲留めフック。
【請求項５】
前記ばね部は前記フック部をばね部の一方の先に有し、前記フック部を前記鋲部の鋲先が向かう方向に押さえる
ことを特徴とする請求項４記載の鋲留めフック。
【請求項６】
前記ばね部は前記フック部をばね部の一方の先に有し、前記フック部を前記鋲部側であり前記鋲部の鋲先が向かう方向との垂直方向に押さえる
ことを特徴とする請求項４記載の鋲留めフック。
【請求項７】
前記鋲部は前記鋲留めフックを壁と棚となげしとのいずれかに固定し、
前記ばね部は前記鋲部が前記鋲留めフックを固定する壁と棚となげしとのいずれかの側に前記フック部を押さえる
ことを特徴とする請求項５または請求項６記載の鋲留めフック。
【請求項８】
前記鋲部が刺さり壁と棚となげしとのいずれかに前記鋲留めフックが固定された際に、
前記ばね部は前記フック部を押さえて、前記鋲留めフックが固定された壁と棚となげしとのいずれかを圧迫する
ことを特徴とする請求項７記載の鋲留めフック。
【請求項９】
前記鋲留めフックは、さらに、
前記鋲部の鋲先が向かう方向との垂直方向に伸びる板部を備え、
前記ばね部は前記フック部を押さえて前記板部を圧迫する
ことを特徴とする請求項５記載の鋲留めフック。
【請求項１０】
前記鋲留めフックは、さらに、
前記鋲部の鋲先が向かう方向との水平方向に伸びる板部を備え、
前記ばね部は前記フック部を押さえて前記板部を圧迫する
ことを特徴とする請求項６記載の鋲留めフック。
【請求項１１】
前記ばね部は前記フック部で圧迫して紙を押さえ、
前記フック部はものを吊るす形状である
ことを特徴とする請求項４から請求項１０いずれかに記載の鋲留めフック。
【手続補正２】
【補正対象書類名】明細書
【補正対象項目名】全文
【補正方法】変更
【補正の内容】
【考案の詳細な説明】
【技術分野】
【０００１】
本考案は、文書などを掲示するための万年鋲紙留めフックおよび鋲留めフックに関するものである。
【背景技術】
【０００２】
掲示板などに、文書などを鋲で留めて掲示すると、次に、同じ場所に文書を掲示するときは、一旦、鋲を抜いてから、もう一度、刺し直しをしなければならない。
また、壁面などに、鋲を何度も刺していると、たくさんの穴があき見苦しくなる。
【考案の開示】
【考案が解決しようとする課題】
【０００３】
本考案は、例えば上記の課題を解決するためになされたもので、一回鋲で留めると、あとは何度でも文書を取り替えて掲示することができるようにすることを目的とする。さらに、ばねなどの先に作ったフックに、いろいろなものを掛けることができるようにすることを目的とする。また、壁面を傷めず、簡単に文書などを掲示できるようにすることを目的とする。
【課題を解決するための手段】
【０００４】
本考案の万年鋲紙留めフックは、ばねと、前記ばねを壁面に固定する鋲と、前記ばねの先に設けられ前記鋲が前記ばねを壁面に固定した場合に前記ばねにより壁面を圧迫するフックとを備えたことを特徴とする。
【０００５】
また、前記フックは、前記ばねの先をフック状にしたものであり、壁面に対して紙を抜き差し可能に押さえて紙を掲示することを特徴とする。
【０００６】
また、前記フックは、前記ばねの先をフック状にしたものであり、ものを掛けて吊るす形状を有することを特徴とする。
【０００７】
本考案の鋲留めフックは、鋲部とばね部とフック部とを備えたことを特徴とする。
【０００８】
また、前記ばね部は前記フック部をばね部の一方の先に有し、前記フック部を前記鋲部の鋲先が向かう方向に押さえることを特徴とする。
【０００９】
また、前記ばね部は前記フック部をばね部の一方の先に有し、前記フック部を前記鋲部側であり前記鋲部の鋲先が向かう方向との垂直方向に押さえることを特徴とする。
【００１０】
また、前記鋲部は前記鋲留めフックを壁と棚となげしとのいずれかに固定し、前記ばね部は前記鋲部が前記鋲留めフックを固定する壁と棚となげしとのいずれかの側に前記フック部を押さえることを特徴とする。
【００１１】
また、前記鋲部が刺さり壁と棚となげしとのいずれかに前記鋲留めフックが固定された際に、前記ばね部は前記フック部を押さえて、前記鋲留めフックが固定された壁と棚となげしとのいずれかを圧迫することを特徴とする。
【００１２】
さらに、前記鋲留めフックは、前記鋲部の鋲先が向かう方向との垂直方向に伸びる板部を備え、前記ばね部は前記フック部を押さえて前記板部を圧迫することを特徴とする。
【００１３】
さらに、前記鋲留めフックは、前記鋲部の鋲先が向かう方向との水平方向に伸びる板部を備え、前記ばね部は前記フック部を押さえて前記板部を圧迫することを特徴とする。
【００１４】
また、前記ばね部は前記フック部で圧迫して紙を押さえ、前記フック部はものを吊るす形状であることを特徴とする。
【考案の効果】
【００１５】
本考案によれば、文書など簡単に何回でも掲示することができる。さらに、
壁面などに穴の傷が少なくてすむ。本箱の棚などを利用して、簡単に整理してものを吊るすことができる。
【考案を実施するための最良の形態】
【００１６】
実施の形態１．
図１は、万年鋲紙留めフックの見取り図と側面図である。
図２は、万年鋲紙留めフックのいろいろな種類である。
図１、図２に示すように、実施の形態１における万年鋲紙留めフックは、ばねやスプリングを鋲やねじ釘で固定して、紙を押さえたり、紐などを掛けられるようにしたものであり、ばねの力で壁面を圧迫して、簡単に用紙を抜き差しできるようにしたものである。
これにより、ばねやスプリングの先のフック状のところを壁面を圧迫するように、鋲で容易に留めることができ、また、紙などは何回も抜き差しできる。
また、ばねやスプリングの先をフック状にすることによって、壁面は勿論のこと、棚やなげしに、いろいろなものを吊るして整理することができる。
【図面の簡単な説明】
【００１７】
【図１】万年鋲紙留めフックの見取り図と側面図
【図２】万年鋲紙留めフックのいろいろな種類
【手続補正３】
【補正対象書類名】図面
【補正対象項目名】全図
【補正方法】変更
【補正の内容】
【図１】
0003116575.tif 000005
【図２】
0003116575.tif 000006